(57)【要約】【課題】双方向型ケーブルの規格で定義されるコマンドを利用し、表示装置の制御プログラムを簡単にバージョンアップできるようにした情報更新システム及び再生装置を提供する。【解決手段】制御部４は、更新ファイル９９を光ディスク１００から読取って、更新ファイル９９の内容を示すベンダーコマンドを、ＨＤＭＩの規格に基づいて作成する。制御部４は、作成したベンダーコマンドをＨＤＭＩポート２０からテレビ１０１に送信する。ベンダーコマンドを受信すると、テレビ１０１側の制御部１０４は、記憶部１０６に記憶されているファームウェア１０６Ａをベンダーコマンドによってバージョンアップする。そして、バージョンアップが完了すると、この後、制御部１０４は、そのバージョンアップ済みのファームウェア１０６Ａに基づいて動作する。【選択図】  図１
2008165698.tif 000002
【特許請求の範囲】
【請求項１】
メディアからデータを読取って外部に出力する再生装置と、
前記データを伝送する双方向型ケーブルを介して前記再生装置と接続され、且つ前記再生装置から出力された前記データを処理して映像を表示する表示装置と、を備えた情報更新システムにおいて、
前記表示装置は、
自装置の各部を制御する動作内容が記述された制御プログラムであって、その内容を更新するための更新ファイルによってバージョンアップする制御プログラムを記憶する記憶手段と、
前記制御プログラムに基づいて動作する制御手段と、を有し、
前記再生装置は、
前記更新ファイルが記録されたメディアがセットされ、且つ前記制御プログラムのバージョンアップが指示された時、前記記憶手段に記憶されている前記制御プログラムのバージョン情報の送信を前記表示装置に前記送信手段を介して要求する読取作成手段と、
その要求を、前記双方向型ケーブルを介して前記表示装置に送信する送信手段と、を有し、
前記読取作成手段は、その要求に対する応答が前記表示装置からあると、その応答結果に基づいて、前記更新ファイルのバージョンが前記制御プログラムのバージョンより新しいかどうかを判定し、
（１）前記読取作成手段は、前記更新ファイルのバージョンの方が新しい場合、前記更新ファイルを前記メディアから読取って、前記更新ファイルの内容を示すコマンドを、前記双方向型ケーブルの規格に基づいて作成し、そのコマンドを前記表示装置に送信するよう前記送信手段に指示し、
前記表示装置の前記制御手段は、前記コマンドが前記表示装置に送信されると、前記記憶手段に記憶されている前記制御プログラムを、そのコマンドの内容によってバージョンアップし、
（２）前記読取作成手段は、前記制御プログラムのバージョンの方が新しい場合、前記送信手段が前記コマンドを前記表示装置に送信することを禁止する情報更新システム。
【請求項２】
メディアからデータを読取って外部に出力する再生装置と、
前記データを伝送する双方向型ケーブルを介して前記再生装置と接続され、且つ前記再生装置から出力された前記データを処理して映像を表示する表示装置と、を備えた情報更新システムにおいて、
前記表示装置は、
自装置の各部を制御する動作内容が記述された制御プログラムであって、その内容を更新するための更新ファイルによってバージョンアップする制御プログラムを記憶する記憶手段と、
前記制御プログラムに基づいて動作する制御手段と、を有し、
前記再生装置は、
前記更新ファイルが記録されたメディアがセットされ、且つ前記制御プログラムのバージョンアップが指示された時、前記更新ファイルを前記メディアから読取って、前記更新ファイルの内容を示すコマンドを、前記双方向型ケーブルの規格に基づいて作成する読取作成手段と、
前記読取作成手段によって作成された前記コマンドを、前記双方向型ケーブルを介して前記表示装置に送信する送信手段と、を有し、
前記表示装置の前記制御手段は、前記コマンドが前記表示装置に送信されると、前記記憶手段に記憶されている前記制御プログラムを、そのコマンドの内容によってバージョンアップする情報更新システム。
【請求項３】
前記再生装置の前記読取作成手段は、
前記更新ファイルが記録された前記メディアがセットされ、且つ前記制御プログラムのバージョンアップが指示された時、前記記憶手段に記憶されている前記制御プログラムのバージョン情報の送信を前記表示装置に前記送信手段を介して要求し、
その要求に対する応答が前記表示装置からあると、その応答結果に基づいて、前記更新ファイルのバージョンが前記制御プログラムのバージョンより新しいかどうかを判定し、
前記制御プログラムのバージョンの方が新しい場合、前記送信手段が前記コマンドを前記表示装置に送信することを禁止する請求項２に記載の情報更新システム。
【請求項４】
前記双方向型ケーブルは、ＨＤＭＩ規格のケーブルであり、
前記双方向型ケーブルの規格に基づいて作成されるコマンドは、ベンダーコマンドである請求項２又は３に記載の情報更新システム。
【請求項５】
メディアからデータを読取って外部に出力する出力手段を備え、前記出力手段から出力された前記データを処理して映像を表示する表示装置と双方向型ケーブルを介して接続される再生装置において、
前記表示装置の各部を制御する動作内容が記述されていて前記表示装置に記憶される制御プログラムの内容を更新するための更新ファイルが記録されたメディアがセットされ、且つ前記更新ファイルによる前記制御プログラムのバージョンアップが指示された時、前記更新ファイルを前記メディアから読取って、前記更新ファイルの内容を示すコマンドを、前記双方向型ケーブルの規格に基づいて作成する読取作成手段と、
前記読取作成手段によって作成された前記コマンドを、前記双方向型ケーブルを介して前記表示装置に送信する送信手段と、を備え、
前記読取作成手段は、前記表示装置に記憶されている前記制御プログラムを、そのコマンドの内容によってバージョンアップするよう前記送信手段を介して前記表示装置に指示する再生装置。
【発明の詳細な説明】
【技術分野】
【０００１】
本発明は、双方向型ケーブルを介して再生装置と表示装置とが互いに接続され、表示装置の制御プログラムが更新によってバージョンアップする情報更新システム、及びそのシステムに適用される再生装置に関するものである。
【背景技術】
【０００２】
従来より、制御プログラムを記憶したフラッシュメモリなどの不揮発性のメモリと、その制御プログラムに基づいて動作するマイクロコンピュータ（以下、マイコンと称する）と、を備えた表示装置が提供されている。この表示装置は、例えば液晶テレビ、プラズマテレビである。
そして、上記の表示装置では、装置の不具合の修正や装置の機能の向上を行うため、ユーザが装置を購入した後でも制御プログラムを更新できるようにしている。例えば、制御プログラムをバージョンアップして、表示装置の購入後に表示装置の機能を追加することができる。
【０００３】
表示装置を含む家電装置の制御プログラムを更新する場合、例えば制御プログラムの内容を更新するための更新ファイルを、家電装置の販売メーカが配布したDVD等のメディアから家電装置が読取って、更新する。これにより、家電装置に新しい機能が追加される。
一方、特許文献１では、デジタル電子装置装置が提案されている。
【特許文献１】特開２００３−３１６５９６公報
【発明の開示】
【発明が解決しようとする課題】
【０００４】
しかしながら、上記の表示装置単体では、更新ファイルをメディアから読取る読取機構を持たない。そのため、簡単には、表示装置の制御プログラムをバージョンアップすることができなかった。例えばバージョンアップ済みの制御プログラムが記録された新たなフラッシュメモリを装置の販売メーカから配布してもらい、表示装置に内蔵されているフラッシュメモリを取り外し、新たなフラッシュメモリに交換しなければならなかった。
従って、従来の表示装置では、ユーザが表示装置を購入した後に、表示装置の不具合の修正や表示装置の機能の向上を行うことが困難だった。
【０００５】
本発明はこのような従来の課題を解決しようとするものであり、双方向型ケーブルの規格で定義されるコマンドを利用し、表示装置の制御プログラムを簡単にバージョンアップできるようにした情報更新システム及び再生装置を提供することを目的とする。
【課題を解決するための手段】
【０００６】
本発明の情報更新システムは、前記課題を解決するために以下の構成を備えている。
【０００７】
（１）メディアからデータを読取って外部に出力する再生装置と、
前記データを伝送する双方向型ケーブルを介して前記再生装置と接続され、且つ前記再生装置から出力された前記データを処理して映像を表示する表示装置と、を備えた情報更新システムにおいて、
前記表示装置は、
自装置の各部を制御する動作内容が記述された制御プログラムであって、その内容を更新するための更新ファイルによってバージョンアップする制御プログラムを記憶する記憶手段と、
前記制御プログラムに基づいて動作する制御手段と、を有し、
前記再生装置は、
前記更新ファイルが記録されたメディアがセットされ、且つ前記制御プログラムのバージョンアップが指示された時、前記更新ファイルを前記メディアから読取って、前記更新ファイルの内容を示すコマンドを、前記双方向型ケーブルの規格に基づいて作成する読取作成手段と、
前記読取作成手段によって作成された前記コマンドを、前記双方向型ケーブルを介して前記表示装置に送信する送信手段と、を有し、
前記表示装置の前記制御手段は、前記コマンドが前記表示装置に送信されると、前記記憶手段に記憶されている前記制御プログラムを、そのコマンドの内容によってバージョンアップする。
【０００８】
この構成において、再生装置は、例えば光ディスク装置、ハードディスクドライブ装置、又はＳＤカード再生装置である。メディアは、例えば光ディスク、ハードディスク、又はＳＤカード等の半導体メモリである。表示装置は、例えば液晶テレビ、プラズマテレビである。双方向型ケーブルは、双方向に通信が可能なケーブルを意味する。バージョンアップとは、制御プログラムを最新の情報に更新することを意味する。また、バージョンアップは、アップグレードとアップデートを含む概念である。
制御プログラムを更新する場合、ユーザは、表示装置の販売メーカが配布したDVD等のメディアを再生装置にセットする。このメディアには、販売メーカ側によって更新ファイルが記録されている。そして、制御プログラムのバージョンアップを指示する。これにより、読取手段は、更新ファイルの内容を上記のコマンドとして作成する。このコマンドは、双方向ケーブルの規格で定義されるコマンドである。そして、送信手段は、そのコマンドを表示装置に送信する。
表示装置の制御手段は、コマンドが送信されると、そのコマンドに基づいて記憶手段に記憶されている制御プログラムをバージョンアップする。バージョンアップが完了すると、制御手段は、そのバージョンアップ済みの制御プログラムに基づいて動作する。
以上のように、双方向型ケーブルの規格で定義されるコマンドを利用することで、読取機構を持たない表示装置でも、その制御プログラムを簡単にバージョンアップできる。そのため、表示装置においては、ユーザが表示装置を購入した後でも、不具合の修正や機能の向上を簡単に行うことができる。
【０００９】
（２）前記再生装置の前記読取作成手段は、
前記更新ファイルが記録された前記メディアがセットされ、且つ前記制御プログラムのバージョンアップが指示された時、前記記憶手段に記憶されている前記制御プログラムのバージョン情報の送信を前記表示装置に前記送信手段を介して要求し、
その要求に対する応答が前記表示装置からあると、その応答結果に基づいて、前記更新ファイルのバージョンが前記制御プログラムのバージョンより新しいかどうかを判定し、
前記制御プログラムのバージョンの方が新しい場合、前記送信手段が前記コマンドを前記表示装置に送信することを禁止する。
【００１０】
この構成において、送信手段から送信される要求は、双方向型ケーブルを介して表示装置に入力される。表示装置の制御手段は、記憶手段の制御プログラムを調べてバージョン情報を読み取り、双方向型ケーブルを介して再生装置に送信する。
そして、読取作成手段は、送信されたバージョン情報に基づいて、更新ファイルのバージョンが制御プログラムのバージョンより新しいかどうかを判定する。そして、更新ファイルのバージョンの方が新しい場合のみ、送信手段がコマンドを表示装置に送信することを許可する。
以上より、制御プログラムが古いバージョンに誤って更新されてしまうのを防止できる。
なお、バージョン情報は、制御プログラムに予め記述されている。同様に、更新ファイルのバージョン情報も、更新ファイルに予め記述されている。
【００１１】
（３）前記双方向型ケーブルは、ＨＤＭＩ規格のケーブルであり、
前記双方向型ケーブルの規格に基づいて作成されるコマンドは、ベンダーコマンドである。
【００１２】
ＨＤＭＩの規格ではCEC（Consumer Electronics Control）という家電装置の制御規格が定められている。CECには、電源や入力切り替えなど制御する各社共通の汎用ベンダーコマンドと、メーカーが独自に定義できるオプションのベンダーコマンドと、がある。
この構成においては、このベンダーコマンドを利用している。
【００１３】
また、本発明の再生装置は、前記課題を解決するために以下の構成を備えている。
【００１４】
（４）メディアからデータを読取って外部に出力する出力手段を備え、前記出力手段から出力された前記データを処理して映像を表示する表示装置と双方向型ケーブルを介して接続される再生装置において、
前記表示装置の各部を制御する動作内容が記述されていて前記表示装置に記憶される制御プログラムの内容を更新するための更新ファイルが記録されたメディアがセットされ、且つ前記更新ファイルによる前記制御プログラムのバージョンアップが指示された時、前記更新ファイルを前記メディアから読取って、前記更新ファイルの内容を示すコマンドを、前記双方向型ケーブルの規格に基づいて作成する読取作成手段と、
前記読取作成手段によって作成された前記コマンドを、前記双方向型ケーブルを介して前記表示装置に送信する送信手段と、を備え、
前記読取作成手段は、前記表示装置に記憶されている前記制御プログラムを、そのコマンドの内容によってバージョンアップするよう前記送信手段を介して前記表示装置に指示する。
【００１５】
この構成において、再生装置は、上記（１）の情報更新システムで用いられる。
これにより、上記（１）と同様の効果を奏する。
【発明の効果】
【００１６】
この発明によれば、読取機構を持たない表示装置でも、その制御プログラムを簡単にバージョンアップできる。
【発明を実施するための最良の形態】
【００１７】
以下、本発明の実施形態である情報更新システムについて説明する。
【００１８】
図１は、本発明の実施形態である情報更新システムの光ディスク装置の主要な構成を示すブロック図である。光ディスク装置１は、所謂ＤＶＤプレーヤであり、装置本体１の各部の動作を制御する制御部４と、装置本体１にセットされている光ディスク１００からデータを読取るピックアップヘッド２（以下、PUヘッド２と称する。）と、RFアンプなどの再生部３と、ユーザからの操作を受け付ける操作部５と、情報を表示する表示部７と、データを記憶する記憶部６と、音声信号を出力する音声処理部１１と、画像信号を出力する画像処理部１３と、HDMIケーブル２１を差し込むHDMIポート２０と、を備えている。
【００１９】
また、光ディスク装置１は、HDMIポート２０に差し込まれたHDMIケーブル２１を介して、テレビ１０１に接続されている。テレビ１０１は、HDMI規格対応の液晶テレビである。
ＨＤＭＩは、High  Definition  Multimedia  Interfaceの略であり、ＤＶＤ再生装置等の出力装置からテレビ受像機やプロジェクタ等の表示装置へディジタルＡ／Ｖ信号を伝送するためのインタフェースである。ＨＤＭＩは、従来の規格であるＤＶＩ（Digital  Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
ＨＤＭＩは、DDC（Display  Date  Channel）により、テレビ１０１が光ディスク装置１に送信する情報を伝送することができる。DDCは、通信形式の名称である。
【００２０】
また、制御部４は、例えばマイクロコンピュータで構成される。制御部４は、更新ファイルに記述されている更新データを伝送する制御ライン１９を介してHDMIポート２０と接続されている。
【００２１】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２２】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２３】
再生部３は、ＰＵヘッド２における複数の受光素子の出力に基づいてＲＦ信号を生成し、該ＲＦ信号を増幅する。そして、再生部３は、該ＲＦ信号を処理して画像と音声のデータを取り出し、それぞれデコードする。ここで、取り出される画像信号は、例えばＭＰＥＧでエンコードされている。また、取り出される音声信号は、例えばＭＰＥＧ、AC３でエンコードされている。そして、再生部３は、音声信号を音声処理部１１に、画像信号を画像処理部１３に、両データの同期を取りながら、それぞれ出力する。
【００２４】
音声処理部１１は、伸長された音声信号をディジタルの再生音声信号として外部のテレビ１０１に出力する。
画像処理部１３は、伸長された画像信号をディジタルの再生画像信号として外部のテレビ１０１に出力する。
音声処理部１１及び画像処理部１３は、上記のディジタル信号を、ＨＤＭＩケーブル２１を介して、ＴＭＤＳ（Transition  Minimized  Differential  Signaling）方式でテレビ１０１に送信する。
【００２５】
音声処理部１１及び画像処理部１３は、HDMIポート２０に差し込まれたHDMIケーブル２１を介してテレビ１０１と繋がっている。ユーザは、テレビ１０１によって、画像処理部１３から出力された画像信号に基づく画像、及び音声処理部１１から出力された音声信号に基づく音声を視聴することができる。
【００２６】
図２は、本発明の実施形態である情報更新システムのテレビ受像機の主要な構成を示すブロック図である。テレビ１０１は、所謂液晶テレビであり、HDMIケーブル２１を差し込むHDMIポート１２０と、ディジタルの再生音声信号及びディジタルの再生画像信号をＤ／Ａ変換するＤ／Ａ変換部１０３と、Ｄ／Ａ変換された再生画像信号を処理して画像を表示する表示部１１３と、Ｄ／Ａ変換された再生音声信号を処理して音声を放音するスピーカ１１１と、を備えている。
【００２７】
ユーザは、表示部１１３及びスピーカ１１１によって、光ディスク装置１から出力された画像信号に基づく画像、及び光ディスク装置１から出力された音声信号に基づく音声を視聴することができる。
【００２８】
さらに、テレビ１０１は、ファームウェア１０６Ａを記憶する記憶部１０６と、ファームウェア１０６Ａに基づいてテレビ１０１の各部の動作を制御する制御部１０４と、を備えている。
【００２９】
記憶部１０６は、書換可能な不揮発性のメモリであり、例えばフラッシュメモリである。記憶部１０６に記憶されているファームウェア１０６Ａには、テレビ１０１の各部を制御する動作内容（制御方法）が記述されている。ファームウェア１０６Ａは、その内容を更新するための更新ファイルによってバージョンアップする。
【００３０】
制御部１０４は、例えばマイクロコンピュータで構成される。制御部１０４は、ファームウェア１０６Ａで処理されるデータを展開するためのワークフィールドとしてのＲＡＭ（不図示）を内蔵する。また、制御部１０４は、更新ファイルに記述されている更新データを伝送する制御ライン１１９を介してHDMIポート１２０と接続されている。
【００３１】
なお、図１の光ディスク装置１と図２のテレビ１０１とは、この実施形態の情報更新システムを構成する。また、ファームウェア１０６Ａが、本発明の「制御プログラム」に相当する。
【００３２】
図３は、本発明の実施形態である情報更新システムにおける、光ディスク装置１とテレビ受像機１０１における各制御部の動作を示すフローチャートである。図４は、更新ファイル９９のバージョン情報とファームウェア１０６Ａのバージョン情報との一例を示す図である。図３の動作は、更新ファイル９９が記録された光ディスク１００をユーザがセットし、ファームウェア１０６Ａのバージョンアップを操作部５で指示した時の動作である。ここで、光ディスク１００は、テレビ１０１の不具合を修正するために、テレビ１０１の販売メーカが配布した光ディスクとする。また、更新ファイル９９は、ファームウェア１０６Ａの内容を更新するためのファイルである。
光ディスク１００が光ディスク装置１にセットされ、且つファームウェア１０６Ａのバージョンアップが操作部５で指示されると（S１）、光ディスク装置１側の制御部４は、テレビ１０１側の記憶部１０６に記憶されているファームウェア１０６Ａのバージョン情報の送信をテレビ１０１に要求する（Ｓ２）。この要求は、制御ライン１９とＨＤＭＩポート２０とＨＤＭＩケーブル２１とを介してテレビ１０１に入力される。
【００３３】
ＨＤＭＩケーブル２１を介して要求があると、テレビ１０１側の制御部１０４は、ファームウェア１０６Ａを更新する更新モードを実行する（Ｓ１０１）。ここで、この要求は、ＨＤＭＩポート１２０で受信し、制御ライン１１９を介して制御部１０４に入力される。
【００３４】
次に、制御部１０４は、ファームウェア１０６Ａのバージョン情報をＨＤＭＩポート１２０から送信する（Ｓ１０２）。ここで、ファームウェア１０６Ａには、バージョン情報が予め（前回のバージョンアップ時等に）記述される。
【００３５】
ファームウェア１０６Ａのバージョン情報を受信すると、即ち、要求に対する応答がテレビ１０１からあると、制御部４は、その応答結果に基づいて、更新ファイル９９のバージョンがファームウェア１０６Ａのバージョンより新しいかどうかを判定する（Ｓ３）。この判定は、制御部４が更新ファイル９９のバージョン情報をＰＵヘッド２に読取らせ、再生部３を介して取得することにより行われる。ここで、更新ファイル９９には、バージョン情報がファイル作成時に記述されている。
【００３６】
更新ファイル９９のバージョンがファームウェア１０６Ａのバージョンより新しくないと判定すると、制御部４は、本処理を終了する。即ち、制御部４は、ベンダーコマンドをＨＤＭＩポート２０から送信することを禁止している。Ｓ２及びＳ３を設けた理由は、ファームウェア１０６Ａが古いバージョンに誤って更新されてしまうのを防止するためである。
なお、この実施形態では、Ｓ２及びＳ３を設けているが、実施の際は、本処理からＳ２及びＳ３を除いても構わない。
【００３７】
一方、図４に示すように、更新ファイル９９のバージョンがファームウェア１０６Ａのバージョンより新しいと判定すると、制御部４は、更新ファイル９９を光ディスク１００から読取って、更新ファイル９９の内容を示すベンダーコマンドを、ＨＤＭＩの規格に基づいて作成する（Ｓ４）。Ｓ４について詳述すると、ＨＤＭＩの規格ではCEC（Consumer Electronics Control）という家電装置の制御規格が定められている。CECには、電源や入力切り替えなど制御する各社共通の汎用ベンダーコマンドと、メーカーが独自に定義できるオプションのベンダーコマンドと、がある。そこで、Ｓ４において制御部４は、更新ファイル９９をＰＵヘッド２に読取らせて再生部３を介して取得し、更新ファイル９９の内容をベンダーコマンドとして作成している。
【００３８】
次に、制御部４は、Ｓ４で作成したベンダーコマンドをＨＤＭＩポート２０からテレビ１０１に送信する（Ｓ５）。このベンダーコマンドは、制御ライン１９とＨＤＭＩポート２０とＨＤＭＩケーブル２１とを介してテレビ１０１に入力される。Ｓ５において制御部４は、Ｓ４で作成したベンダーコマンドの送信とともに、テレビ１０１に記憶されている制御プログラムを、そのベンダーコマンドの内容によってバージョンアップするようＨＤＭＩポート２０を介してテレビ１０１に指示する。この指示は、ベンダーコマンド中に記載しても構わない。この結果、テレビ１０１は、その指示に従って以下の動作を行う。
【００３９】
ＨＤＭＩポート１２０でベンダーコマンドを受信すると、テレビ１０１側の制御部１０４は、記憶部１０６に記憶されているファームウェア１０６Ａのバージョンアップを開始する（Ｓ１０３）。
【００４０】
そして、バージョンアップが完了すると（Ｓ１０４）、制御部１０４は、バージョンアップが完了した旨をＨＤＭＩポート１２０から光ディスク装置１に通知する（Ｓ１０５）。そして、制御部１０４は、本処理を終了する。この後、制御部１０４は、そのバージョンアップ済みのファームウェア１０６Ａに基づいて動作する。
【００４１】
また、テレビ１０１からの通知をＨＤＭＩポート２０において受け付けると、制御部４は、バージョンアップに関するセッションを閉じて（Ｓ６）、本処理を終了する。ここで、制御部４は、テレビ１０１のバージョンアップが完了するまで、待機している。
【００４２】
以上のように、ＨＤＭＩの規格で定義されるベンダーコマンドを利用することで、読取機構を持たないテレビ１０１でも、その制御プログラムを簡単にバージョンアップできる。そのため、テレビ１０１においては、ユーザがテレビ１０１を購入した後でも、不具合の修正や機能の向上を簡単に行うことができる。
【００４３】
なお、この実施形態では、ＨＤＭＩの規格を採用しているためベンダーコマンドを利用しているが、実施の際は、これらに限定する必要はなく、それぞれのインタフェースに対応するコマンドを利用すれば良い。
【図面の簡単な説明】
【００４４】
【図１】本発明の実施形態である情報更新システムの光ディスク装置の主要な構成を示すブロック図
【図２】本発明の実施形態である情報更新システムのテレビ受像機の主要な構成を示すブロック図
【図３】本発明の実施形態である情報更新システムにおける、光ディスク装置１とテレビ受像機１０１における各制御部の動作を示すフローチャート
【図４】更新ファイル９９のバージョン情報とファームウェア１０６Ａのバージョン情報との一例を示す図
【符号の説明】
【００４５】
１−光ディスク装置
２−ピックアップヘッド
３−再生部
４−制御部
５−操作部
６−記憶部
７−表示部
１１−音声処理部
１３−画像処理部
１９−制御ライン
２０−ＨＤＭＩポート
２１−ＨＤＭＩケーブル
９９−更新ファイル
１００−光ディスク
１０１−テレビ
１０１−テレビ受像機
１０３−Ｄ／Ａ変換部
１０４−制御部
１０６Ａ−ファームウェア
１０６−記憶部
１１１−スピーカ
１１３−表示部
１１９−制御ライン
１２０−ＨＤＭＩポート
【図１】
2008165698.tif 000003
【図２】
2008165698.tif 000004
【図３】
2008165698.tif 000005
【図４】
2008165698.tif 000006